(57)【要約】【課題】ユーザが煩雑な操作を行うことなく、適切な投影画像を得ることができる。【解決手段】本発明の情報処理装置は、投影面に画像を投影する画像投影装置と通信可能な情報処理装置であり、画像加工部と画像送信部とを備える。画像加工部は、投影面に投影された画像を示す投影画像の状態に応じて、画像を加工する。画像送信部は、画像加工部により加工された画像を画像投影装置に送信する。【選択図】図４
2017200021.tif 000002
【特許請求の範囲】
【請求項１】
投影面に画像を投影する画像投影装置と通信可能な情報処理装置であって、
前記投影面に投影された前記画像を示す投影画像の状態に応じて、前記画像を加工する画像加工部と、
前記画像加工部により加工された前記画像を前記画像投影装置に送信する画像送信部と、を備える、
情報処理装置。
【請求項２】
前記画像加工部は、
前記投影画像の隠れ度合いが閾値を超える場合は、前記画像のサイズを変更する、
請求項１に記載の情報処理装置。
【請求項３】
前記画像加工部は、
前記画像の横幅に対する前記投影画像の表示領域の横幅の割合を示す第１の値、および、前記画像の縦幅に対する前記表示領域の縦幅の割合を示す第２の値のうちの小さい方を用いて、前記画像のサイズを変更する、
請求項２に記載の情報処理装置。
【請求項４】
前記画像加工部は、
前記投影画像の歪みが閾値を超える場合は、前記画像のサイズを変更し、サイズを変更した後の前記画像の位置を調整する、
請求項１に記載の情報処理装置。
【請求項５】
前記画像加工部は、
前記投影画像のうち歪んでいる領域を示す歪み領域の縦幅と、前記画像の縦幅とが一致する場合、前記画像の横幅に対する前記画像の横幅と前記歪み領域の横幅との差分の割合を示す第３の値を用いて前記画像のサイズを変更し、サイズを変更した後の前記画像を前記投影面に投影して得られる変更投影画像が、前記投影画像のうち前記歪み領域以外の領域に位置するよう、サイズを変更した後の前記画像の位置を調整する、
請求項４に記載の情報処理装置。
【請求項６】
前記画像加工部は、
前記投影画像のうち、歪んでいる領域を示す歪み領域の横幅と、前記画像の横幅とが一致する場合、前記画像の縦幅に対する前記画像の縦幅と前記歪み領域の縦幅との差分の割合を示す第４の値を用いて前記画像のサイズを変更し、サイズを変更した後の前記画像を前記投影面に投影して得られる変更投影画像が、前記歪み領域以外の領域に位置するよう、サイズを変更した後の前記画像の位置を調整する、
請求項４に記載の情報処理装置。
【請求項７】
前記画像加工部は、
前記投影画像の色と、前記画像の元の色を示す基準色とが異なる場合は、前記投影画像の色と前記基準色とが一致するよう、前記画像の色を変更する、
請求項１に記載の情報処理装置。
【請求項８】
前記画像加工部は、
前記投影画像の色と、前記基準色と、変更後の前記画像の色との関係を表す関係情報に基づいて、前記画像の色を変更する、
請求項７に記載の情報処理装置。
【請求項９】
投影面に画像を投影する画像投影装置と通信可能な情報処理装置に、
前記投影面に投影された前記画像を示す投影画像の状態に応じて、前記画像を加工する画像加工ステップと、
前記画像加工ステップにより加工された前記画像を前記画像投影装置に送信する画像送信ステップと、を実行させるためのプログラム。
【請求項１０】
投影面に画像を投影する画像投影装置と、前記画像投影装置と通信可能な情報処理装置と、を含むシステムであって、
前記情報処理装置は、
前記投影面に投影された前記画像を示す投影画像の状態に応じて、前記画像を加工する画像加工部と、
前記画像加工部により加工された前記画像を前記画像投影装置に送信する画像送信部と、を備え、
前記画像投影装置は、
前記情報処理装置から、加工された前記画像を受信する画像受信部と、
画像受信部により受信された前記画像を前記投影面に投影する制御を行う投影制御部と、を備える、
システム。
【発明の詳細な説明】
【技術分野】
【０００１】
本発明は、情報処理装置、プログラムおよびシステムに関する。
【背景技術】
【０００２】
ディスプレイのサイズが小さいスマートフォンなどの情報処理装置から、例えばプロジェクタなどの画像投影装置に画像のファイルを送信（アップロード）し、この画像投影装置により大画面の画像を、スクリーンなどの投影面に投影する技術が知られている（例えば、特許文献１を参照）。
【０００３】
画像投影装置の能力に応じた適切な画像を投影するために、投影の元となる画像（投影対象の画像）を加工することが望ましい場合がある。例えば特許文献２には、プロジェクタ端末の解像能力に応じて最適な画像を投影するために、プロジェクタ端末の解像能力を制御端末に送り、その解像能力に応じて制御端末側で画像の解像度を変換してプロジェクタ端末に送信する技術が開示されている。
【発明の概要】
【発明が解決しようとする課題】
【０００４】
しかし、従来技術では、投影画像（スクリーンなどの投影面に投影された状態の画像、つまり、元となる画像が投影面に投影されて形成される像）の状態を考慮（フィードバック）して、元となる画像を自動的に加工することは行われていない。このため、画像が適切に投影されていない場合（適切な投影画像が得られない場合）は、情報処理装置上でユーザが自ら画像を加工するための操作を行った後に、加工後の画像を画像投影装置へ送信する必要がある。したがって、ユーザの操作が煩雑になるといった課題がある。
【課題を解決するための手段】
【０００５】
上述した課題を解決するために、本発明は、投影面に画像を投影する画像投影装置と通信可能な情報処理装置であって、前記投影面に投影された前記画像を示す投影画像の状態に応じて、前記画像を加工する画像加工部と、画像加工部により加工された前記画像を前記画像投影装置に送信する画像送信部と、を備える。
【発明の効果】
【０００６】
本発明によれば、ユーザが煩雑な操作を行うことなく、適切な投影画像を得ることができるという効果を奏する。
【図面の簡単な説明】
【０００７】
【図１】図１は、システムの概要を説明する模式図である。
【図２】図２は、情報処理装置に保存されている画像をプロジェクタ装置にアップロードする際の動作の概要を説明するシーケンス図である。
【図３】図３は、情報処理装置のハードウェア構成の一例を示すブロック図である。
【図４】図４は、情報処理装置が有する機能の一例を示すブロック図である。
【図５】図５は、第１の実施形態の元画像の加工方法を説明するための図である。
【図６】図６は、画像投影装置のハードウェア構成の一例を示すブロック図である。
【図７】図７は、画像投影装置が有する機能の一例を示すブロック図である。
【図８】図８は、第１の実施形態の情報処理装置の動作例を示すフローチャートである。
【図９】図９は、第２の実施形態の元画像の加工方法を説明するための図である。
【図１０】図１０は、第２の実施形態の元画像の加工方法を説明するための図である。
【図１１】図１１は、第３の実施形態の関係情報の一例を示す図である。
【図１２】図１２は、第３の実施形態の情報処理装置の動作例を示すフローチャートである。
【発明を実施するための形態】
【０００８】
以下に添付図面を参照しながら、本発明に係る情報処理装置、プログラムおよびシステムの具体的な実施形態について詳しく説明する。以下で示す実施形態は、情報処理装置の一例として、ユーザが携帯して使用するスマートフォンなどの携帯端末を想定する。また、画像投影装置の一例として、画像をスクリーンなどの投影面に投影するプロジェクタ装置を想定する。ただし、本発明はこの例に限らず、情報処理装置から送信された画像を画像投影装置で投影面に投影することが可能な様々なシステムに対して適用可能である。
【０００９】
（第１の実施形態）
図１は、本実施形態のシステムの概要を説明する模式図である。本実施形態のシステムは、図１に示すように、例えばスマートフォンなどの情報処理装置１００と、プロジェクタ装置２００とを備える。
【００１０】
情報処理装置１００のユーザは、情報処理装置１００に保存されている画像を大画面で見たい場合などに、情報処理装置１００を操作して、情報処理装置１００に保存されている画像のファイルをプロジェクタ装置２００にアップロードする。その後、ユーザがプロジェクタ装置２００を操作して、情報処理装置１００からプロジェクタ装置２００にアップロードした画像を投影対象として選択することにより、その画像がスクリーンに投影され、大画面の投影画像Ｉｍとして見ることができる。
【００１１】
このとき、障害物等による遮蔽、歪み、投影面の色（下地の色）等に起因して、適切な投影画像Ｉｍが得られない場合がある。このような場合、ユーザは、得られた投影画像Ｉｍを確認し、その投影画像Ｉｍが適切でない場合は、情報処理装置１００上でユーザが自ら画像を加工するための操作を行った後に、加工後の画像のファイルを、情報処理装置１００からプロジェクタ装置２００にアップロードする必要があり、ユーザの操作が煩雑なものとなる。
【００１２】
そこで、本実施形態のシステムでは、情報処理装置１００は、投影面に投影された画像を示す投影画像Ｉｍの状態に応じて、画像（投影の元となる画像）を加工した上で、プロジェクタ装置２００に送信（アップロード）するようにしている。これにより、情報処理装置１００に保存されている画像をプロジェクタ装置２００で投影する場合に、ユーザが煩雑な操作を行うことなく、適切な投影画像Ｉｍを得ることができる。
【００１３】
図２は、情報処理装置１００に保存されている画像をプロジェクタ装置２００にアップロードする際の動作の概要を説明するシーケンス図である。情報処理装置１００に保存されている画像をプロジェクタ装置２００にアップロードする場合、まず、ユーザが情報処理装置１００を操作して、送信する画像および送信先のプロジェクタ装置２００を指定したアップロード要求を行う（ステップＳ１０１）。
【００１４】
情報処理装置１００は、このユーザによるアップロード要求を受け付けて、指定された画像をフラッシュメモリなどの内部記憶装置から取得し、取得した画像を、送信先として指定されたプロジェクタ装置２００へ送信（アップロード）する（ステップＳ１０２）。プロジェクタ装置２００は、情報処理装置１００から画像を受信すると、その受信した画像を投影面に投影する（ステップＳ１０３）。そして、プロジェクタ装置２００は、情報処理装置１００に対して、アップロードされた画像の投影完了を通知する（ステップＳ１０４）。この通知は、後述の「第１の投影完了通知」に相当する。
【００１５】
次に、プロジェクタ装置２００から投影完了通知を受けた情報処理装置１００は、例えばディスプレイにメッセージを表示するなどして、ユーザに対して、画像が投影された状態の投影面の撮影を要求する（ステップＳ１０５）。情報処理装置１００にはカメラ機能が搭載されており、この要求を受けたユーザは、情報処理装置１００に搭載されたカメラを投影面に向けて、撮影を指示するためのボタン（例えばディスプレイに表示される仮想ボタン等）を押下するなどの撮影操作を行う（ステップＳ１０６）。この撮影操作を受け付けた情報処理装置１００は、カメラ機能を利用した撮影を行い（ステップＳ１０７）、撮影により得られた画像（撮影画像）を取得する。ここでは、撮影とは「撮像」と同義であり、「撮像」とは、レンズなどの光学系により結像された被写体の像を、電気信号に変換することを指す。
【００１６】
次に、情報処理装置１００は、ステップＳ１０７の撮影で得られた撮影画像に映り込んだ投影画像の状態に応じて、元の画像を加工する（ステップＳ１０８）。そして、情報処理装置１００は、加工した画像をプロジェクタ装置２００へ送信（アップロード）する（ステップＳ１０９）。プロジェクタ装置２００は、情報処理装置１００から画像を受信すると、その受信した画像を投影面に投影する（ステップＳ１１０）。そして、プロジェクタ装置２００は、情報処理装置１００に対して、アップロードされた画像の投影完了を通知する（ステップＳ１１１）。この通知は、後述の「第２の投影完了通知」に相当する。プロジェクタ装置２００から投影完了通知を受けた情報処理装置１００は、例えばディスプレイにメッセージを表示するなどして、ユーザに対して、アップロードされた画像の投影完了を通知する（ステップＳ１１２）。
【００１７】
次に、本実施形態のシステムを構成する情報処理装置１００とプロジェクタ装置２００の詳細について説明する。
【００１８】
図３は、情報処理装置１００のハードウェア構成の一例を示すブロック図である。図３に示すように、情報処理装置１００は、ＣＰＵ１０１と、ＤＲＡＭ１０２と、フラッシュメモリ１０３と、通信モジュール１０４と、ディスプレイ１０５と、タッチパネル１０６と、カメラモジュール１０７と、を備える。
【００１９】
ＣＰＵ１０１は、情報処理装置１００の動作を制御するための各種プログラムを実行する演算装置である。ＤＲＡＭ１０２は、例えばＣＰＵ１０１がプログラムの実行時にワークエリアとして利用するメモリである。フラッシュメモリ１０３は、各種のプログラムや各種のデータ（画像のファイルなど）を格納する情報処理装置１００の内部記憶装置である。通信モジュール１０４は、情報処理装置１００がプロジェクタ装置２００などの外部機器と通信するための通信機である。通信モジュール１０４による通信は、各種の規格に対応した無線通信のほか、有線による通信も含む。
【００２０】
ディスプレイ１０５は、各種の情報を表示する表示器である。タッチパネル１０６は、ユーザがタッチ操作により入力を行うための入力装置である。カメラモジュール１０７は、撮像を行うためのデバイスであり、例えば光を受光して画像として出力するセンサ（イメージセンサ）などで構成される。
【００２１】
図４は、情報処理装置１００が有する機能の一例を示す図である。説明の便宜上、図４の例では、本実施形態に関する機能を主に例示しているが、情報処理装置１００が有する機能はこれらに限られるものではない。図４に示すように、情報処理装置１００は、要求受付部１１、画像取得部１２、画像送信部１３、応答受信部１４、撮影画像取得部１５、画像加工部１６、メッセージ表示部１７を有する。これらの機能は、ＣＰＵ１０１がフラッシュメモリ１０３に格納されたプログラムを読み出し、ＤＲＡＭ１０２をワークエリアとして利用してこのプログラムを実行することにより実現されるが、これに限らず、例えばこれらの機能のうちの少なくとも一部が専用のハードウェア回路（半導体集積回路等）で実現されてもよい。
【００２２】
要求受付部１１は、タッチパネル１０６のタッチ操作などにより入力されたユーザによる画像のアップロード要求を受け付ける。このアップロード要求には、アップロードする画像の指定が含まれる。要求受付部１１は、このアップロード要求を受け付けると、画像取得部１２に対して指定された画像の取得を要求する。
【００２３】
画像取得部１２は、要求受付部１１からの要求に応じて、指定された画像をフラッシュメモリ１０３などから読み出して画像送信部１３へ渡す。画像送信部１３は、画像取得部１２から渡された画像を、プロジェクタ装置２００へ送信（アップロード）する。本実施形態では、画像送信部１３は、画像取得部１２から渡された画像（後述の加工が行われていない画像、以下の説明では「元画像」と称する場合がある）を含み、かつ、元画像の投影を要求する第１の投影要求を、プロジェクタ装置２００へ送信するよう、通信モジュール１０４を制御する。
【００２４】
なお、後述するように、画像送信部１３は、後述の画像加工部１６から渡された画像（画像加工部１６により加工された元画像）も、プロジェクタ装置２００へ送信（アップロード）する。本実施形態では、画像送信部１３は、画像加工部１６により加工された元画像を含み、かつ、加工された元画像の投影を要求する第２の投影要求を、プロジェクタ装置２００へ送信するよう、通信モジュール１０４を制御する。
【００２５】
応答受信部１４は、プロジェクタ装置２００からの応答を受信する。本実施形態では、応答受信部１４は、上述の第１の投影要求に対する応答（「第１の投影完了通知」と称する）、または、上述の第２の投影要求に対する応答（「第２の投影完了通知」と称する）を受信する。応答受信部１４は、プロジェクタ装置２００から第１の投影完了通知を受信した場合、後述の撮影画像取得部１５に対して、撮影画像の取得を要求する。また、応答受信部１４は、プロジェクタ装置２００から第２の投影完了通知を受信した場合、メッセージ表示部１７に対して、投影完了のメッセージの表示を要求する。メッセージ表示部１７は、応答受信部１４からの要求に応じて、投影完了のメッセージをディスプレイ１０５やタッチパネル１０６に表示する制御を行う。
【００２６】
撮影画像取得部１５は、応答受信部１４からの要求に応じて、撮影画像を取得して、取得した撮影画像を画像加工部１６へ渡す。この例では、撮影画像取得部１５は、応答受信部１４から撮影画像の要求を受けると、画像（元画像）が投影された状態の投影面の撮影をユーザに要求する制御を行う。例えば撮影画像取得部１５は、投影面の撮影を促すメッセージをディスプレイ１０５やタッチパネル１０６に表示する制御を行う。その後、撮影画像取得部１５は、ユーザの指示に応じてカメラモジュール１０７を起動し、カメラモジュール１０７は、撮影を指示するためのボタンの押下を受け付けて撮影を行う。撮影画像取得部１５は、カメラモジュール１７による撮影で得られた撮影画像を取得する。この撮影画像には、投影面に投影された状態の元画像（投影画像）が映り込んでいることを前提とする。
【００２７】
画像加工部１６は、投影面に投影された元画像（投影画像）の状態に応じて、元画像を加工する。この例では、画像加工部１６は、投影画像の隠れ度合いが閾値を超える場合は、元画像のサイズを変更する。さらに言えば、画像加工部１６は、元画像の横幅に対する投影画像の表示領域（正しく表示されている領域）の横幅の割合を示す第１の値、および、元画像の縦幅に対する投影画像の表示領域の縦幅の割合を示す第２の値のうちの小さい方を用いて、元画像のサイズを変更する。
【００２８】
本実施形態では、画像加工部１６は、撮影画像取得部１５から撮影画像を渡されると、対応する元画像を画像取得部１２から取得し、両者のスケールを一致させるための変換を行う。その上で、画像加工部１６は、撮影画像取得部１５から取得した撮影画像に映り込んだ投影画像（投影面に投影された状態の元画像）と、画像取得部１２から取得した元画像とを用いて、元画像に対する投影画像の表示領域の割合（面積の割合等）が所定値を下回るか否かを判断し、下回る場合は、投影画像の隠れ度合が閾値を超えると判断して元画像の加工を行う。以下、本実施形態における元画像の加工方法を説明する。
【００２９】
例えば元画像が図５の（Ａ）であり、撮影画像が図５の（Ｂ）である場合を想定する。この例では、投影画像の隠れ度合いが閾値を超えていることを前提とする。図５の（Ｂ）の非表示領域とは、本来表示されるべき投影画像のうち、障害物等により表示されない領域を表す。図５の（Ａ）において、元画像の横幅をｘ、縦幅をｙとし、図５の（Ｂ）において、表示領域の横幅をＸ、縦幅をＹとする。この例では、元画像の横幅ｘに対する投影画像の表示領域の横幅Ｘの割合を示す第１の値（Ｘ／ｘ）と、元画像の縦幅ｙに対する投影画像の表示領域の縦幅Ｙの割合を示す第２の値（Ｙ／ｙ）とを比較すると、第１の値（Ｘ／ｘ）の方が小さい場合を想定する。画像加工部１６は、第１の値を用いて元画像のサイズを変倍し、変倍後の元画像は図５の（Ｃ）のようになる。変倍後の元画像の横幅はＸ、縦幅はｙ×Ｘ／ｘ（＜Ｙ）となり、縦幅が余るので、中央に寄せてもよいし、上下左右の何れかに寄せるのかをユーザに選択させてもよい。
【００３０】
図４の説明を続ける。画像加工部１６により加工された元画像は、画像送信部１３に渡される。画像送信部１３は、画像加工部１６により加工された元画像を、プロジェクタ装置２００へ送信（アップロード）する。本実施形態では、画像送信部１３は、加工された元画像を含み、かつ、加工された元画像の投影を要求する第２の投影要求を、プロジェクタ装置２００へ送信するよう、通信モジュール１０４を制御する。
【００３１】
図６は、プロジェクタ装置２００のハードウェア構成例を示すブロック図である。プロジェクタ装置２００は、例えば図６に示すように、ＣＰＵ２０１と、ＤＲＡＭ２０２と、フラッシュメモリ２０３と、通信モジュール２０４と、操作キー２０５と、プロジェクタモジュール２０６とを備える。
【００３２】
ＣＰＵ２０１は、プロジェクタ装置２００の動作を制御するための各種プログラムを実行する演算装置である。ＤＲＡＭ２０２は、例えばＣＰＵ２０１がプログラムの実行時にワークエリアとして利用するメモリである。フラッシュメモリ２０３は、各種のプログラムや各種のデータ（画像のファイルなど）を格納するプロジェクタ装置２００の内部記憶装置である。通信モジュール２０４は、プロジェクタ装置２００が情報処理装置１００などの外部機器と通信するための通信機である。通信モジュール２０４による通信は、各種の規格に対応した無線通信のほか、有線による通信も含む。
【００３３】
操作キー２０５は、ユーザによる操作を受け付けるための入力装置である。プロジェクタモジュール２０６は、情報処理装置１００からアップロード（送信）された画像（元画像、加工された元画像）をスクリーンなどの投影面に投影するためのモジュールである。プロジェクタモジュール２０６は、例えば、ＬＥＤなどの光源、液晶パネル、投影レンズなどを備える。そして、プロジェクタモジュール２０６は、例えば、情報処理装置１００からアップロードされた画像に応じて液晶パネルを駆動してこの液晶パネルに光源からの光を照射し、この液晶パネルを透過した光を、投影レンズを介してスクリーンに照射することにより、情報処理装置１００からアップロードされた画像を大画面の投影画像Ｉｍとしてスクリーンに表示することができる。
【００３４】
図７は、プロジェクタ装置２００が有する機能の一例を示すブロック図である。説明の便宜上、図の例では、本実施形態に関する機能を主に例示しているが、情報処理装置１００が有する機能はこれらに限られるものではない。図７に示すように、プロジェクタ装置２００は、画像受信部２１と、投影制御部２２と、応答送信部２３と、を有する。これらの機能は、ＣＰＵ２０１がフラッシュメモリ２０３に格納されたプログラムを読み出し、ＤＲＡＭ２０２をワークエリアとして利用してこのプログラムを実行することにより実現されるが、これに限らず、例えばこれらの機能のうちの少なくとも一部が専用のハードウェア回路（半導体集積回路等）で実現されてもよい。
【００３５】
画像受信部２１は、情報処理装置２００から送信（アップロード）された画像（元画像または加工された元画像）を受信する。本実施形態では、画像受信部２１は、情報処理装置２００から、元画像を含む上述の第１の投影要求、または、加工された元画像を含む上述の第２の投影要求を受信する。
【００３６】
投影制御部２２は、画像受信部２１により受信された画像を投影面（スクリーン）に投影する制御を行う。例えば画像受信部２１により上述の第１の投影要求が受信された場合、投影制御部２２は、その受信された第１の投影要求に含まれる元画像をスクリーンに投影する制御を行う。また、例えば画像受信部２１により上述の第２の投影要求が受信された場合、投影制御部２２は、その受信された第２の投影要求に含まれる加工された元画像をスクリーンに投影する制御を行う。
【００３７】
応答送信部２３は、第１の投影要求または第２の投影要求に対する応答を情報処理装置１００へ送信する。例えば応答送信部２３は、投影制御部２２により第１の投影要求に含まれる元画像の投影が完了した場合、第１の投影要求で投影が要求された画像（元画像）の投影が完了したことを示す第１の投影完了通知を情報処理装置１００へ送信する。また、例えば応答送信部２３は、投影制御部２２により第２の投影要求に含まれる加工された元画像の投影が完了した場合、第２の投影要求で投影が要求された画像（加工された元画像）の投影が完了したことを示す第２の投影完了通知を情報処理装置１００へ送信する。
【００３８】
図８は、図２のステップＳ１０８およびステップＳ１０８の具体的な動作例を示すフローチャートである。図８に示すように、画像加工部１６は、投影画像の隠れ度合いが閾値を超えているか否かを判断する（ステップＳ１２１）。ステップＳ１２１の結果が否定の場合（ステップＳ１２１：Ｎｏ）、そのまま処理は終了する。
【００３９】
ステップＳ１２１の結果が肯定の場合（ステップＳ１２１：Ｙｅｓ）、画像加工部１６は、投影画像の表示領域の横幅Ｘおよび縦幅Ｙを特定し（ステップＳ１２２）、上述の第１の値（Ｘ／ｘ）および上述の第２の値（Ｙ／ｙ）を算出する。そして、画像加工部１６は、算出した第１の値（Ｘ／ｘ）と第２の値（Ｙ／ｙ）とを比較し、第１の値（Ｘ／ｘ）が第２の値（Ｙ／ｙ）を上回るか否かを判断する（ステップＳ１２３）。
【００４０】
ステップＳ１２３の結果が肯定の場合（ステップＳ１２３：Ｙｅｓ）、画像加工部１６は、元画像の縦横比を維持したままＸ／ｘ倍に変倍する（ステップＳ１２４）。この場合、変倍後の元画像の横幅はＸ、縦幅はｙ×Ｘ／ｘ（＜Ｙ）となり、縦幅が余るので、上述したように中央に寄せてもよいし、上下左右の何れかに寄せるのかをユーザに選択させてもよい。また、ステップＳ１２３の結果が否定の場合（ステップＳ１２３：Ｎｏ）、画像加工部１６は、元画像の縦横比を維持したままＹ／ｙ倍に変倍する（ステップＳ１２５）。この場合、変倍後の元画像の横幅はＸ×Ｙ／ｙ（＜Ｘ）、縦幅はＹとなり、横幅が余るので、上述したように中央に寄せてもよいし、上下左右の何れかに寄せるのかをユーザに選択させてもよい。
【００４１】
そして、上述のステップＳ１２４または上述のステップＳ１２５の後、画像送信部１３は、画像加工部１６により加工された元画像をプロジェクタ装置２００へ送信（アップロード）する（ステップＳ１２６）。
【００４２】
以上に説明したように、本実施形態の情報処理装置１００は、投影面に投影された元画像（投影画像）の状態に応じて、元画像を加工し、加工した元画像をプロジェクタ装置２００に送信（アップロード）する。上述したように、本実施形態の情報処理装置１００は、投影画像の隠れ度合いが閾値を超える場合は、元画像の横幅ｘに対する投影画像の表示領域の横幅Ｙの割合を示す第１の値（Ｘ／ｘ）、および、元画像の縦幅ｙに対する投影画像の表示領域の縦幅Ｙの割合を示す第２の値（Ｙ／ｙ）のうちの小さい方を用いて、元画像のサイズを変更（変倍）する。以上に説明した本実施形態によれば、情報処理装置１００からアップロードされた画像をプロジェクタ装置２００で投影する場合に、ユーザが煩雑な操作を行うことなく、適切な投影画像Ｉｍを得ることができる。
【００４３】
（第２の実施形態）
次に、第２の実施形態について説明する。本実施形態では、情報処理装置１００の画像加工部１６は、投影画像（投影面に投影された状態の元画像）の歪みが閾値を超える場合は、元画像のサイズを変更し、サイズを変更した後の元画像の位置を調整する。なお、本実施形態における基本的な構成および動作は上述した第１の実施形態と同様であるため、以下では、第１の実施形態と異なる部分についてのみ説明する。
【００４４】
ここでは、画像の歪みを判断する場合、プロジェクタ装置２００の特性により投影画像の上下左右の何れか１辺が歪むことを利用する。また、画像処理や台形補正や左右補正で補正する場合は、その影響としてその他の部分が逆に歪んでしまうことがあるため、適切な投影画像が得られるよう、以下のようにして元画像のサイズや位置を変更する。本実施形態では、画像加工部１６は、投影画像のうち歪んでいる領域を示す歪み領域の縦幅と、元画像の縦幅とが一致する場合、元画像の横幅に対する元画像の横幅と歪み領域の横幅との差分の割合を示す第３の値を用いて元画像のサイズを変更し、サイズを変更した後の元画像を投影面に投影して得られる変更投影画像が歪み領域以外の領域に位置するよう、サイズを変更した後の元画像の位置を調整（投影位置を調整）する。また、画像加工部１６は、投影画像のうち、歪んでいる領域を示す歪み領域の横幅と、元画像の横幅とが一致する場合、元画像の縦幅に対する元画像の縦幅と歪み領域の縦幅との差分の割合を示す第４の値を用いて元画像のサイズを変更し、サイズを変更した後の元画像を投影面に投影して得られる変更投影画像が歪み領域以外の領域に位置するよう、サイズを変更した後の元画像の位置を調整する。
【００４５】
本実施形態では、画像加工部１６は、撮影画像取得部１５から撮影画像を渡されると、撮影画像取得部１５から取得した撮影画像に映り込んだ投影画像全体に対する歪み領域の割合（面積の割合等）が所定値を上回るか否かを判断し、上回る場合は、投影画像の歪みが閾値を超えると判断して元画像の加工を行う。以下、本実施形態における元画像の加工方法を説明する。
【００４６】
例えば元画像が図９の（Ａ）であり、撮影画像が図９の（Ｂ）である場合を想定する。この例では、投影画像の歪みが閾値を超えていることを前提とする。図９の（Ａ）において、元画像の横幅をｘ、縦幅をｙとし、図９の（Ｂ）において、歪み領域の横幅をｘ２、縦幅をｙ２とする。この例では、元画像の横幅ｘと、歪み領域の横幅ｘ２とが一致する場合を想定する。この場合、画像加工部１６は、元画像の縦幅ｙに対する元画像の縦幅ｙと歪み領域の縦幅ｙ２との差分の割合を示す第４の値（（ｙ−ｙ２）／ｙ）を用いて元画像のサイズを変倍する。そして、変倍後の元画像を投影面に投影して得られる変更投影画像が、投影面における元画像の投影領域（元画像が投影される領域）のうち歪み領域以外の領域（図９の（Ｂ）に示す投影画像のうち斜線部分以外の領域）に位置するよう、変倍後の元画像の位置を調整する。
【００４７】
図１０は、図２のステップＳ１０８およびステップＳ１０８の具体的な動作例を示すフローチャートである。図１０に示すように、画像加工部１６は、投影画像の歪みが閾値を超えているか否かを判断する（ステップＳ２０１）。ステップＳ２０１の結果が否定の場合（ステップＳ２０１：Ｎｏ）、そのまま処理は終了する。
【００４８】
ステップＳ２０１の結果が肯定の場合（ステップＳ２０１：Ｙｅｓ）、画像加工部１６は、投影画像の歪み領域の横幅ｘ２および縦幅ｙ２を特定する（ステップＳ２０２）。そして、画像加工部１６は、対応する元画像を画像取得部１２から取得し、元画像と撮影画像のスケールを一致させるための変換を行った上で、元画像の横幅ｘと、ステップＳ２０２で特定した歪み領域の横幅ｘ２とが一致するか否かを判断する（ステップＳ２０３）。
【００４９】
ステップＳ２０３の結果が肯定の場合（ステップＳ２０３：Ｙｅｓ）、画像加工部１６は、元画像の縦横比を維持したまま（ｙ−ｙ２）／ｙ（「第４の値」に対応）倍に変倍し、変倍後の元画像を投影面に投影して得られる変更投影画像が歪み領域以外の領域に位置するよう、変倍後の元画像の位置を調整する（ステップＳ２０４）。一方、ステップＳ２０３の結果が否定の場合（ステップＳ２０３：Ｎｏ）、画像加工部１６は、元画像の縦横比を維持したまま（ｘ−ｘ２）／ｘ（「第３の値」に対応）倍に変倍し、変倍後の元画像を投影面に投影して得られる変更投影画像が歪み領域以外の領域に位置するよう、変倍後の元画像の位置を調整する（ステップＳ２０５）。
【００５０】
そして、上述のステップＳ２０４または上述のステップＳ２０５の後、画像送信部１３は、画像加工部１６により加工された元画像をプロジェクタ装置２００へ送信（アップロード）する（ステップＳ２０６）。
【００５１】
以上に説明した本実施形態の構成であっても、情報処理装置１００からアップロードされた画像をプロジェクタ装置２００で投影する場合に、ユーザが煩雑な操作を行うことなく、適切な投影画像Ｉｍを得ることができる。
【００５２】
（第３の実施形態）
次に、第３の実施形態について説明する。本実施形態の情報処理装置１００の画像加工部１６は、投影画像（投影面に投影された状態の元画像）の色と、元画像の元の色を示す基準色とが異なる場合は、投影画像の色と基準色とが一致するよう、元画像の色を変更する。なお、本実施形態における基本的な構成および動作は上述した第１の実施形態と同様であるため、以下では、第１の実施形態と異なる部分についてのみ説明する。
【００５３】
本実施形態では、画像加工部１６は、投影画像の色と、基準色とが異なる場合は、投影画像の色と、基準色と、変更後の元画像の色との関係を表す関係情報に基づいて、元画像の色を変更する。図１１は、関係情報の一例を示す図であり、投影画像の色と、基準色と、変更後の元画像の色との関係がテーブル形式の情報で表されている。以下の説明では、このテーブル形式の情報を「色変換テーブル」と称する。なお、このような色変換テーブルを用いずに、投影画像の色と、基準色とが異なる場合は、その都度、加法混色により変更後の元画像の色を導き出す形態であってもよい。
【００５４】
図１２は、図２のステップＳ１０８およびステップＳ１０８の具体的な動作例を示すフローチャートである。図１２に示すように、画像加工部１６は、投影画像の色と基準色とが異なるか否かを判断する（ステップＳ３０１）。例えば画像加工部１６は、撮影画像取得部１５から撮影画像を渡されると、対応する元画像を画像取得部１２から取得する。そして、画像加工部１６は、撮影画像取得部１５から取得した撮影画像に映り込んだ投影画像（投影面に投影された状態の元画像）、および、画像取得部１２から取得した元画像の各々を複数の領域（例えば１ｃｍ×１ｃｍの領域）に分割する。そして、元画像を分割して得られる複数の領域ごとに、該領域（対象領域）の色（基準色）と、投影画像を分割して得られる複数の領域のうち、元画像の対象領域に対応する領域の色とが異なるか否かを判断する。色が異なる領域が存在する場合、ステップＳ３０１の結果は肯定となり、色が異なる領域が存在しない場合、ステップＳ３０１の結果は否定となる。
【００５５】
ステップＳ３０１の結果が否定の場合（ステップＳ３０１：Ｎｏ）、処理はそのまま終了する。ステップＳ３０１の結果が肯定の場合（ステップＳ３０１：Ｙｅｓ）、画像加工部１６は、上述の色変換テーブルを用いて元画像の色を変更する（ステップＳ３０２）。この例では、画像加工部１６は、元画像を分割して得られる複数の領域のうちステップＳ３０１で色が異なると判断された領域ごとに、上述の色変換テーブルを用いて、該領域の色を変更（基準色から変更）する。
【００５６】
そして、上述のステップＳ３０２の後、画像送信部１３は、画像加工部１６により加工された元画像をプロジェクタ装置２００へ送信（アップロード）する（ステップＳ３０３）。
【００５７】
以上に説明した本実施形態の構成であっても、情報処理装置１００からアップロードされた画像をプロジェクタ装置２００で投影する場合に、ユーザが煩雑な操作を行うことなく、適切な投影画像Ｉｍを得ることができる。
【００５８】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、上述の実施形態に示される全構成要素から幾つかの構成要素を削除してもよい。さらに、異なる実施形態にわたる構成要素を適宜組み合わせてもよい。
【００５９】
また、上述した各実施形態のシステムに含まれる各装置（情報処理装置１００、プロジェクタ装置２００）で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等の不揮発性の記録媒体に予め組み込んで提供するように構成してもよい。
【符号の説明】
【００６０】
１１  要求受付部
１２  画像取得部
１３  画像送信部
１４  応答受信部
１５  撮影画像取得部
１６  画像加工部
１７  メッセージ表示部
２１  画像受信部
２２  投影制御部
２３  応答受信部
１００  情報処理装置
１０１  ＣＰＵ
１０２  ＤＲＡＭ
１０３  フラッシュメモリ
１０４  通信モジュール
１０５  ディスプレイ
１０６  タッチパネル
１０７  カメラモジュール
２００  プロジェクタ装置
２０１  ＣＰＵ
２０２  ＤＲＡＭ
２０３  フラッシュメモリ
２０４  通信モジュール
２０５  操作キー
２０６  プロジェクタモジュール
【先行技術文献】
【特許文献】
【００６１】
【特許文献１】特開２０１５−６２０９７号公報
【特許文献２】特許第４９０４６７８号公報（段落００３４−００４６）
【図１】
2017200021.tif 000003
【図２】
2017200021.tif 000004
【図３】
2017200021.tif 000005
【図４】
2017200021.tif 000006
【図５】
2017200021.tif 000007
【図６】
2017200021.tif 000008
【図７】
2017200021.tif 000009
【図８】
2017200021.tif 000010
【図９】
2017200021.tif 000011
【図１０】
2017200021.tif 000012
【図１１】
2017200021.tif 000013
【図１２】
2017200021.tif 000014